(57)【要約】【課題】  軽量で柔らかく安全であるとともに子供が乗っても沈み込んだりせず、片崩れすることがないブロックを提供し、またブロックに形成する接続孔の形状は一種類で足り、さらにブロック同士の結合もジョイントを接続孔に嵌入するだけで足り、容易かつ迅速に組立て分解することができ、熟練者を必要とすることがなく、小型ものもからいくらでも大型化することができるようにする。【解決手段】  ＥＶＡ樹脂発泡体のような樹脂発泡体で形成した複数種類のブロック１ａ〜１ｑと、前記各ブロックを接続し、しかも前記各ブロック１ａ〜１ｑより硬いジョイント３を有する。ブロック１ａ〜１ｑに開口端２ａを有する内向きの細隙２ｂを形成する。細隙２ｂの内端に細隙２ｂより大径の頭孔２ｃを連接して接続孔２を形成する。ジョイント３を細隙２ｂに嵌入する嵌合片部３ａと嵌合片部３ｂの両側に頭孔２ｃに嵌入する頭部３ｂとを一体形成する。【選択図】        図１
2008272177.tif 000002
【特許請求の範囲】
【請求項１】
樹脂発泡体で形成した複数種類のブロックと、前記各ブロックを接続し、しかも前記各ブロックより硬いジョイントを有し、また前記ブロックに開口端を有する内向きの細隙を形成し、前記細隙の内端に前記細隙より大径の頭孔を連接して接続孔を形成し、さらに前記ジョイントを前記細隙に嵌入する嵌合片部と前記嵌合片部の両側に前記頭孔に嵌入する頭部とを一体形成することを特徴とする子供用施設におけるブロック具。
【請求項２】
樹脂発泡体がＥＶＡ樹脂発泡体であることを特徴とする請求項１の子供用施設におけるブロック具。
【請求項３】
接続孔が鍵穴状であり、ジョイントの横断面が前記１対の接続孔を対向させた形状であることを特徴とする請求項１の子供用施設におけるブロック具。
【請求項４】
ジョイントの端部が凸弧状であることを特徴とする請求項１または３の子供用施設におけるブロック具。
【請求項５】
ジョイントの嵌合片部の周辺が細隙に嵌合する厚さであり、前記周辺内の上下部が深溝であり、前記上下部間である中間部が浅溝であることを特徴とする請求項１、３または４の子供用施設におけるブロック具。
【発明の詳細な説明】
【技術分野】
【０００１】
本発明は幼稚園、保育所等の子供用施設で用いられ、しかも積木のような小手先で組立・分解する小型のブロックから例えば１個のブロック（図１の１ｆ、１ｇ、１ｈ）の縦（以下、ｈで示す）、横（以下、ｗで示す）、奥行き（以下、ｄで示す）が、すなわちｈ×ｗ×ｄ＝１２０mm×２４０mm×１２０mmというような大型のブロック、さらには図５・６で示すように子供や保育士のような大人が潜ったり、入ったり、乗ったりできる超大型のブロックとそのジョイントに関するものである。
【背景技術】
【０００２】
従来から第１に小型および大型のブロックは積木のような木製若しくは硬質プラスチック製のものを積み重ねたり、蟻ほぞ継ぎにしたり、ブロック自体を凹凸嵌合して接続している。
【０００３】
また第２に従来の大型および超大型のブロックではブロック自体にベルベット式ファスナーを貼着したり、ブロック同士を接着剤若しくは熱融着して接着している。
【特許文献１】なし。
【発明の開示】
【発明が解決しようとする課題】
【０００４】
従来の前記第１の場合にはブロックの重量が大きいとともに硬く、構造が複雑であり、安全面で劣り、また容易かつ迅速に製造することができず、さらに２〜３才児等の年少児には安全に使用することが困難である。
【０００５】
また従来第２の場合にはベルベット式ファスナー同士およびベルベット式ファスナーがブロック本体から剥れることがあるとともに、接着部分に埃が入って結合度を悪化させることがあり、さらに接着剤、熱融着は熟練者による組立作業が必要になる。
【０００６】
本願発明は前記従来例の欠点を解消することを課題とし、小型から超大型のブロックまで適応するようにすることを課題にする。
【課題を解決するための手段】
【０００７】
本発明の第１の手段は、樹脂発泡体で形成した複数種類のブロックと、前記各ブロックを接続し、しかも前記各ブロックより硬いジョイントを有し、また前記ブロックに開口端を有する内向きの細隙を形成し、前記細隙の内端に前記細隙より大径の頭孔を連接して接続孔を形成し、さらに前記ジョイントを前記細隙に嵌入する嵌合片部と前記嵌合片部の両側に前記頭孔に嵌入する頭部とを一体形成することを特徴とするものである。
【０００８】
本発明の第２の手段は、樹脂発泡体がＥＶＡ樹脂発泡体であることを特徴とするものである。
【０００９】
本発明の第３の手段は、接続孔が鍵穴状であり、ジョイントの横断面が前記１対の接続孔を対向させた形状であることを特徴とするものである。
【００１０】
本発明の第４の手段は、ジョイントの端部が凸弧状であることを特徴とするものである。
【００１１】
本発明の第５の手段は、ジョイントの嵌合片部の周辺が細隙に嵌合する厚さであり、前記周辺内の上下部が深溝であり、前記上下部間である中間部が浅溝であることを特徴とするものである。
【発明の効果】
【００１２】
第１の本発明によれば、ブロックがＥＶＡ樹脂発泡体であるので、従来の木製若しくは硬質プラスチック製のものに比べて、軽量で柔らかく安全であるとともに子供が乗っても沈み込んだりしないような弾性が付与されているので、片崩れすることがく、またブロックに形成する接続孔の形状は一種類で足り、さらにブロック同士の結合もジョイントを接続孔に嵌入するだけで足り、容易かつ迅速に組立て分解することができ、熟練者を必要とすることがなく、小型ものもからいくらでも大型化することができ、例えばブロック遊戯具、ゲート、サークル等、創意工夫により子供用施設における多種類の遊戯具、装置等に製品化することもできる。
【００１３】
第２の本発明によれば、前記第１の本発明による効果中、軽量、柔らかさ、安全性、片崩れなしの効果を最も有効に発揮することができる。
【００１４】
第３の本発明によれば前記第１の発明の効果に加え、丸み部分が多く、安全である。
【００１５】
第４の本発明によれば前記第１・３の発明の効果に加え、さらに安全に操作することができ、より安全である。
【００１６】
第５の本発明によれば前記第１・３・４の発明の効果に加え、深溝を有するので確実に指を掛けることができ、扱い易く、特に抜きやすく、しかも浅溝を有するので、堅牢性を損なうことがなく、いきなり周辺から深溝に指を入れて怪我をするようなこともない。
【発明を実施するための最良の形態】
【００１７】
図１および図２は本願発明の分解図、図３および図４は図１、図２の部材による組立図、図５および図６は前記のものとは大きさ、形状を異にする組立例図を示すものである。
【００１８】
しかし、いずれものブロック１も前記のとおり木製や硬質プラスチック製のものに比べて軽量で柔らかく、机や椅子の重さに沈み込んだりしないような強い弾性を有し、床材や歩行用マットとして使用されている樹脂発泡体中、ＥＶＡ樹脂発泡体で中実に形成する。
【００１９】
またいずれのジョイント３、３、３・・・も前記ＥＶＡ樹脂発泡体より硬質の材料で中空に形成する。ジョイント３自体がブロック１より柔らかいと組立品に安定感がなくなり、しかも作業しにくいからである。なお、ジョイント３を中空にすることにより軽量となり組立・分解作業がしやすくなる。具体的には硬質プラスチック、アルミニウム等の金属等が挙げられ、生産の容易性、経済性から硬質プラスチックが最良である。
【００２０】
図１に示す各ブロックは大型ブロックであり、それぞれのｈ×ｗ×ｄは１ａ〜１ｅ＝１２０mm×１２０mm×１２０mmの1/4円弧体、直角三角形体および立方体、１ｆ〜１ｉ＝１２０mm×２４０mm×１２０mmの直方体および直角三角形体、１ｊ＝３０mm×２４０mm×１２０mmの平板であり、ジョイント３のｗ×ｈ×ｄ＝９４mm×１１８mm×２４mmである。
【００２１】
ブロック１ａ〜１ｑ表面の所定の位置に開口端２ａを有する内向きの細隙２ｂを形成し、細隙２ｂの内端に細隙２ｂの径ｌ１より大径ｌ２の頭孔２ｃを連設して接続孔２を形成する。
【００２２】
図ではいずれの接続孔２も鍵穴型を示したが、前記説明に合致するならば、接続孔２は傘状孔、茸状孔、Ｔ字状孔等であってもよい。但し、後述のジョイント３の安全性を考慮すると鍵穴型が最も最良の形態である。
【００２３】
図１および３における符号１ｒおよび４はオプション部品で、材料は前記のとおりＥＶＡ樹脂発泡体および硬質プラスチックであり、その大きさはブロック１ｒの外径ｌ３が８０mm、中心孔ｌ４の直径が１９mm、ｄが３０mm、符号４のシャフトの直径ｌ５が１９mm、ｗが１６０mmである。
【００２４】
ブロック１ａ〜１ｅの接続孔２は所定面の２分の１位置、１ｆ〜１ｊは短辺側では２分の１位置、長辺側では各外端から３分の１位置に形成する。
【００２５】
次にジョイント３について図２に従ってさらに説明すれば、ジョイント３は硬質プラスチックにより中空に形成し、細隙２ｂ、２ｂに嵌入する嵌合片部３ａと嵌合片部３ｂの両側に頭孔２ｃ、２ｃに嵌入する頭部３ｂを一体形成し、嵌合片部３ａの幅を前記細隙２ｂの深さの２倍、その厚みを等倍つまり対向する１対の細隙２ｂ、２ｂに嵌合する周辺３０を有する細長板状に形成し、周辺３０の上下部３１、３１を表裏から深溝に形成し、上下間部である中間部３２を浅溝に形成する。しかもジョイント３全体の上下端部３ｃを凸弧状に形成する。
【００２６】
そして図３で示すようにブロック１ａ、１ｂ、１ｃ、１ｆの接続孔２にジョイント３を嵌入し、しかも前後の頭孔２ｃ、２ｃ（図示略）にシャフト４、４を貫挿し、各シャフト４にオプション部品１ｒの中心穴を外嵌して大型の遊戯用自動車を組立てたものである。
【００２７】
また図４で示すようにブロック１ｉ、１ｇ、１ｈ、４個のブロック１ｊ、２個のシャフト４、４を組合わせ、ジョイント３を接続孔２に完全に埋入したり、接続孔２の途中まで嵌入して上方をブロック１上に突出させるなどして大型の遊戯用飛行機を組立てたものである。このジョイント３を必ずしも埋入せず、一部を外に表出させて何らかの形状を形成するというのは、本願発明ならでは可能なことであり、子供にとって満足のいく遊戯具を提供することができる。
【００２８】
なお、机上等で組立る小型のブロックは前記各部品を小さくすればよい。
【００２９】
さらに図５は人間が潜り抜けることができるように各ブロック１ｋ〜１ｎを超大型にして本願発明のジョイント３、３、３・・・によりアーチを組立てたものであり、組立時のｈ×ｗ×ｄ＝１４５０mm×１２００mm×７５０mmであり、その組立法は前述のブロック遊戯具の場合と同一のため詳細説明を省略する。
【００３０】
また図６は数人の子供達が中に入ったり、ブロック１ｐ上を歩行できるサークルであり、組立時の大きさはｈ×ｗ×ｄ＝４５０mm×２,４２０mm×２，４２０mmであり、その構成材は前述のブロック遊戯具におけるブロックの接続孔、ジョイントを大きさに応じて対応させただけで原理は同じであり、詳細な説明を省略する。
【００３１】
図２のジョイント３の取扱法をさらに詳細に説明すると、ジョイント３を接続孔２に挿入するときは端部３ｃが凸弧状に形成してあるので差し込みやすく、また抜き出すときはブロック１の弾性に反して親指と人差指を嵌合片部３ａに入れる。すると、すぐに深溝である上下部３１が形成されているので前記両指で上下部３１の表面を掴み、引き出せばよい。
【図面の簡単な説明】
【００３２】
【図１】本願発明に係る各ブロックおよびジョイントを示す分解斜視図である。
【図２】同上におけるジョイントの一部を切欠いた拡大斜視図である。
【図３】同上の第１例を示す組立斜視図である。
【図４】同上の第２例を示す組立斜視図である。
【図５】同上の第３例を示す組立斜視図である。
【図６】同上の第４例を示す組立斜視図である。
【符号の説明】
【００３３】
１ａ〜１ｑ  ブロック
２  接続孔
２ａ  開口端
２ｂ  細隙
２ｃ  頭孔
３  ジョイント
３ａ  嵌合片部
３ｂ  頭部
３ｃ  端部
３０  周辺
３１  上下部
３２  中間部
【図１】
2008272177.tif 000003
【図２】
2008272177.tif 000004
【図３】
2008272177.tif 000005
【図４】
2008272177.tif 000006
【図５】
2008272177.tif 000007
【図６】
2008272177.tif 000008